(57)【要約】      （修正有）【課題】既設導線の途中を切断することなく、既設導線の途中に避雷用アンテナからの導線の端部を容易に接続することができるようにしたＴ形接続端子を提供する。【解決手段】避雷用アンテナ等の機器から導かれた導線３を既設導線の途中に接続するＴ形接続端子１において、該Ｔ形接続端子１は、直線状に貫通するスリーブ穴を備えた直線スリーブの途中にＴ字形に分岐する分岐スリーブ６を形成すると共に、直線スリーブ５の全長に渡る側部に沿って切開された切開部を形成し、既設導線４を切断することなく切開部から挿入してスリーブ穴に収納し、該直線スリーブ５の両部外周を圧縮変形することによって既設導線４の途中を直線スリーブ５に接続する一方、分岐スリーブ６に機器から導かれた導線３の端部を挿入して該分岐スリーブ６を圧縮変形することによって導線の端部３を分岐スリーブ６に電気的に接続するようにした。【選択図】図１
0003193937.tif 000002
【実用新案登録請求の範囲】
【請求項１】
避雷用アンテナ等の機器から導かれた導線を既設導線の途中に接続するＴ形接続端子において、該Ｔ形接続端子は、直線状に貫通するスリーブ穴を備えた直線スリーブの途中にＴ字形に分岐する分岐スリーブを形成すると共に、直線スリーブの全長に渡る側部に沿って切開された切開部を形成し、既設導線を切断することなく切開部から挿入してスリーブ穴に収納し、該直線スリーブの両部外周を圧縮変形することによって既設導線の途中を直線スリーブに接続する一方、分岐スリーブに機器から導かれた導線の端部を挿入して該分岐スリーブを圧縮変形することによって導線の端部を分岐スリーブに電気的に接続するようにしたことを特徴とするＴ形接続端子。
【請求項２】
直線スリーブに形成した切開部は分岐スリーブを横方向に寝かした状態で切開部が下方を向くように形成してあることを特徴とする請求項１記載のＴ形接続端子。
【請求項３】
直線スリーブに形成した切開部の切開幅は既設導線を形成する撚線の最小径よりも大であって、かつ撚線の最大径よりも小であるものとしたことにより、直線スリーブの切開部を傾けた状態で撚線の最小径部から挿入して該撚線を直線スリーブのスリーブ穴に収納することができ、該撚線を直線スリーブのスリーブ穴に収納した状態において、撚線に対して垂直方向に直線スリーブの切開部を抜き出すことができないようにしたことを特徴とする請求項１又は２記載のＴ形接続端子。
【考案の詳細な説明】
【技術分野】
【０００１】
本考案は、例えば折版屋根等の上部に設けられた既設導線の途中に避雷用アンテナから導かれた導線を接続する際に使用するＴ形接続端子に関する。
【背景技術】
【０００２】
広大な屋根構造を有する折版屋根等においては、任意箇所に取り付けられた避雷用アンテナからの導線を折版屋根の上部に設けられた避雷用の既設導線に接続する必要がある。この場合、既設導線に対して避雷用アンテナから導かれた導線の端部を接続する作業において、従来から図６（ａ）、(ｂ)に示すＴ形接続端子２１が使用されている。
【０００３】
この図に示すＴ形接続端子２１は、既設導線２２の端部を挿着するスリーブ穴２３ａ、２３ｂ、２３ｃをＴ形の３方向に形成してあり、図６（ａ）に示すように既設導線２２の途中を切断し、次いで、図６(ｂ)に示すように既設導線２２の端部２２ａ、２２ｂをスリーブ穴２３ａ、２３ｂの両側から挿入して複数のネジ２４で締め付ける。さらに、分岐したスリーブ穴２３ｃに避雷用アンテナに連結した接続端子２５からの導線２６の端部を挿入して複数のネジ２４で締め付けるようにしている。
【０００４】
従って、このような従来のＴ形接続端子２１では、既設導線２２の途中を切断する作業が必要であり、さらに切断した導線２２の端部２２ａ、２２ｂを各スリーブ穴２３ａ、２３ｂに挿通し、複数のネジ２４で締め付けるという面倒な作業を必要とするものであった。
【０００５】
さらに、この種の従来の接続端子として、特許文献１に示す接続端子を参照する。この接続端子は、避雷設備用に開発したものである。その構成は、導線の引込側或は引出側のいずれか一方又は双方にスリーブとナットとからなる接続部を設けたものであり、導線を切断した後、スリットを有するスリーブに導線の端部を挿入した状態でスリーブの外周をナットで締結するようにしている。
【０００６】
従って、この特許文献１の接続端子においても、既設導線を切断した後、その切断端部をスリーブに固定する必要があるため、既設導線の面倒な切断作業等を必要とする点では、上記の従来のＴ形接続端子と同様である。このため、従来から、避雷用アンテナからの導線を既設導線に接続する作業を容易に行うことができるようにした接続端子の開発が望まれていた。
【先行技術文献】
【特許文献】
【０００７】
【特許文献１】特開平６−８９７４６号公報
【考案の概要】
【考案が解決しようとする課題】
【０００８】
本考案は、上記のような事情に鑑みてなされたものであり、既設導線の途中を切断することなく、既設導線の途中に避雷用アンテナからの導線を容易に接続することができるようにしたＴ形接続端子を提供することを目的とする。
【課題を解決するための手段】
【０００９】
上記の目的を達成するために、本考案のＴ形接続端子は、避雷用アンテナ等の機器から導かれた導線を既設導線の途中に接続するＴ形接続端子において、該Ｔ形接続端子は、直線状に貫通するスリーブ穴を備えた直線スリーブの途中にＴ字形に分岐する分岐スリーブを形成すると共に、直線スリーブの全長に渡る側部に沿って切開された切開部を形成し、既設導線を切断することなく切開部から挿入してスリーブ穴に収納し、該直線スリーブの両部外周を圧縮変形することによって既設導線の途中を直線スリーブに接続する一方、分岐スリーブに機器から導かれた導線の端部を挿入して該分岐スリーブを圧縮変形することによって導線の端部を分岐スリーブに電気的に接続するようにしたことを特徴とする。
【００１０】
また、本考案のＴ形接続端子は、請求項１において、直線スリーブに形成した切開部は分岐スリーブを横方向に寝かした状態で切開部が下方を向くように形成してあることを特徴とする。
【００１１】
さらに、本考案のＴ形接続端子は、請求項１又は２において、直線スリーブに形成した切開部の切開幅は既設導線を形成する撚線の最小径よりも大であって、かつ撚線の最大径よりも小であるものとしたことにより、直線スリーブの切開部を傾けた状態で撚線の最小径部から挿入して該撚線を直線スリーブのスリーブ穴に収納することができ、該撚線を直線スリーブのスリーブ穴に収納した状態において、撚線に対して垂直方向に直線スリーブの切開部を抜き出すことができないようにしたことを特徴とする。
【考案の効果】
【００１２】
本考案のＴ形接続端子は、直線スリーブの全長に渡る側部に沿って切開された切開部を形成してあるため、既設導線を切断することなく切開部から挿入してスリーブ穴に収納した後、直線スリーブの両部外周を圧縮変形することによって既設導線の途中を直線スリーブに接続することが可能となる。従って、本考案のＴ形接続端子によれば、既設導線の途中を切断することなく、既設導線の途中に避雷用アンテナ等からの導線を容易に接続することが可能となる。
【００１３】
また、本考案のＴ形接続端子において、直線スリーブに形成した切開部は分岐スリーブを横方向に寝かした状態で切開部が下方を向くように形成してあるため、Ｔ形接続端子を既設導線の上方から被せるように取り付けることによって、下方を向く切開部を既設導線の途中に係止することが可能である。そして、その状態で直線スリーブの両部外周を圧縮変形することによって、Ｔ形接続端子を既設導線の途中に固定することが可能となる。
【００１４】
さらに、本考案のＴ形接続端子において、直線スリーブに形成した切開部の切開幅は既設導線を形成する撚線の最小径よりも大であって、かつ撚線の最大径よりも小である幅を有するため、直線スリーブの切開部を撚線の最小径部に対して斜め方向に傾けながら挿入することによって撚線を直線スリーブのスリーブ穴に収納することが可能となる。
【００１５】
従って、上記のように既設導線として設けられた撚線をＴ形接続端子の直線スリーブのスリーブ穴に収納した状態において、Ｔ形接続端子を既設導線に沿って移動することは可能であるが、Ｔ形接続端子が既設導線に対して垂直方向に外れたりすることがなく、それ以降の圧縮作業等を容易に遂行することが可能となる。
【図面の簡単な説明】
【００１６】
【図１】本考案の実施例におけるＴ形接続端子を適用する避雷用アンテナを示す図であり、（ａ）は正面図、(ｂ)は上面図、(ｃ)は(ｂ)の部分拡大図である。
【図２】本考案の実施例におけるＴ形接続端子を示す図であり、(ａ)は切開部を紙面の上方に向けた状態を示す平面図、(ｂ)は（ａ）の右端側から見た側面図、(ｃ)は（ａ）の下方向から見た側面図である。
【図３】（ａ）〜(ｃ)は、本考案の実施例におけるＴ形接続端子の直線スリーブのスリーブ穴に既設導線を挿通して固定している状況を示す施工図である。
【図４】（ａ）〜(ｄ)は、本考案の実施例におけるＴ形接続端子を既設導線を成す撚線の細径部に対して斜め方向に傾けながら挿入している状況を示す施工図である。
【図５】（ａ）、(ｂ)は、本考案の実施例におけるＴ形接続端子の切開部に既設導線を挿通して、直線スリーブの両部外周を圧縮変形した状況を示す施工図である。
【図６】（ａ）、(ｂ)は、従来のＴ形接続端子に既設導線を接続する状況を示す施工図である。
【考案を実施するための形態】
【００１７】
本考案の実施例について図面を参照しながら説明する。
【実施例】
【００１８】
本実施例は、図１（ａ）〜(ｃ)に示すように、例えば折版屋根等の構造物の上部に避雷用アンテナ２を設ける場合において、避雷用アンテナ２から導かれた導線３を既設導線４の途中に接続するＴ形接続端子１に関するものである。このＴ形接続端子１は、図２（ａ）〜(ｃ)に示すように、直線状に貫通するスリーブ穴５ａを備えた直線スリーブ５の途中にＴ字形に分岐する分岐スリーブ６を形成すると共に、直線スリーブ５の全長に渡る側部に沿って切開された切開部７を形成した構造を有するものである。
【００１９】
上記の本実施例について詳細に説明すると、図１（ａ）〜(ｂ)に示すように、例えば折版屋根（不図示）の上部に避雷用アンテナ２を設ける場合、折版屋根の上面に固定した折版屋根金具８を介して長尺の鋼板９を敷設し、鋼板９の中央に支持具２ａで支持されたアルミニウム製の突針１０をネジ１１で固定することによって立設する。また、突針１０の立設位置の近傍にネジ１１で固定した接続端子１２を設け、該接続端子１２のスリーブ穴に導線３の一方の端部３ａを挿入して接続端子１２の外周を周知のクランプ用金具（不図示）で圧縮変形することによって導線３を電気的に接続することが可能である。
【００２０】
さらに、図１(ｃ)に示すように、上記の導線３の他方の端部３ｂを本考案によるＴ形接続端子１に設けられた後述する分岐スリーブ６のスリーブ穴６ａ（図２参照）に挿入して、図３（ａ）〜(ｃ)に示すように分岐スリーブ６の外周を圧縮変形することによって導線３を接続するとよい。なお、分岐スリーブ６の外周を圧縮変形した箇所には環状凹溝形の圧縮変形部１４が形成される。
【００２１】
なお、図１(ｃ)に示すように、上記の導線３の一方の端部３ａを接続端子１２のスリーブ穴に接続し、またこの導線３の他方の端部３ｂをＴ形接続端子１の分岐スリーブ６に接続する際の圧縮作業等は工場にて行うものとし、Ｔ形接続端子１の直線スリーブ５に既設導線４を接続する作業は施工現場で行うものとする。
【００２２】
また、本実施例では、上記のように、直線状に貫通するスリーブ穴５ａを備えた直線スリーブ５の途中にＴ字形に分岐する分岐スリーブ６を形成すると共に、直線スリーブ５の全長に渡る側部に沿って切開された切開部７を形成してなるＴ形接続端子１の構成において、既設導線４を形成する撚線がアルミ線を用いて形成されている場合、Ｔ形接続端子１はアルミニウムで構成するとよい。また、この撚線を銅線で形成する場合、Ｔ形接続端子１は、上記のようなアルミニウム以外の金属として銅等を用いて形成してもよい。
【００２３】
また、本実施例では、図３（ａ）に示すように、直線スリーブ５に形成した切開部７は分岐スリーブ６を横方向に寝かした状態で切開部７が下方を向くように形成している。このため、図３（ａ）に示すようにＴ形接続端子１を既設導線４の上方から被せるように取り付けることによって、図３(ｂ)に示すように、下方を向く切開部７を既設導線４の途中に係止することが可能であり、その状態で直線スリーブ５の両部外周５ｂ、５ｃを圧縮変形することによって既設導線４の途中にＴ形接続端子１を固定することが可能となる。
【００２４】
さらに、本考案のＴ形接続端子１において、直線スリーブ５に形成した切開部７の切開幅７ａ（図２（ａ）、(ｂ)参照）は、図４（ａ）に示すように、既設導線４を形成する撚線の最小径部４ａを挿入し得る幅Ｌ１よりも大であって、かつ撚線の最大径部４ｂを挿通する幅Ｌ２よりも小である幅を形成する。このため、図４（ａ）〜(ｄ)に示すように、直線スリーブ５の切開部７を傾けた状態で撚線の最小径部４ａから挿入すると共に、撚線の捩れの形状１６に沿って直線スリーブ５の切開部７を進ませることによって、直線スリーブ５のスリーブ穴５ａに撚線を収納することが可能となる。
【００２５】
上記のように既設導線４として設けられた撚線を直線スリーブ５のスリーブ穴５ａに収納した状態においては、Ｔ形接続端子１を既設導線４に沿って移動することは可能であるが、Ｔ形接続端子１が既設導線４に対して垂直方向に外れたりすることがなく、それ以降の作業を容易に遂行することが可能となる。
【００２６】
上記のように本考案のＴ形接続端子１は、図５（ａ）、(ｂ)に示すように、直線スリーブ５の全長に渡る側部に沿って切開された切開部７を形成してあるため、既設導線４を切断することなく切開部７から挿入してスリーブ穴５ａに収納し、直線スリーブ５の両部外周を圧縮変形することによって既設導線４の途中を直線スリーブ５に容易に接続することが可能である。
【００２７】
なお、図５(ｂ)に示すように、Ｔ形接続端子１の直線スリーブ５の両部外周５ｂ、５ｃを周知のクランプ用金具（不図示）で圧縮変形した場合においても、その圧縮変形した箇所には環状凹溝形の圧縮変形部１４が形成される。
【００２８】
また、直線スリーブ５の両部外周５ｂ、５ｃを圧縮変形した後の形状は、圧縮変形が行われていない直線スリーブ５の中央部において、内部の既設導線４が外方から見える状況にあるが、その直線スリーブ５の両部外周５ｂ、５ｃが圧縮変形されているため、Ｔ形接続端子１を堅固に接続した状態を維持することが可能である。
【産業上の利用可能性】
【００２９】
本考案のＴ形接続端子は、既設導線の途中を切断することなく、既設導線の途中に避雷用アンテナからの導線を容易に接続することができるようにしたＴ形接続端子として利用可能である。
【符号の説明】
【００３０】
１  Ｔ形接続端子
２  避雷用アンテナ
２ａ  支持具
３  導線
３ａ  導線の一方の端部
４  既設導線
４ａ  最小径部
４ｂ  最大径部
５  直線スリーブ
５ａ  直線スリーブのスリーブ穴
５ｂ、５ｃ  直線スリーブの両部外周
６  分岐スリーブ
６ａ  スリーブ穴
７  切開部
７ａ  切開部の切開幅
８  折版屋根金具
９  鋼板
１０  突針
１１  ネジ
１２  接続端子
１４  圧縮変形部
１５  銅メッキ
１６  撚線の捩れの形状
Ｌ１  最小径部の幅
Ｌ２  最大径部の幅
【図１】
0003193937.tif 000003
【図２】
0003193937.tif 000004
【図３】
0003193937.tif 000005
【図４】
0003193937.tif 000006
【図５】
0003193937.tif 000007
【図６】
0003193937.tif 000008